(57)【特許請求の範囲】
【請求項１】
グローバルタイトル翻訳要求を含む信号を受信した入側信号リンク収容プロセッサから、前記グローバル翻訳の結果がその特定に関与する出側信号リンク収容プロセッサへ前記受信信号を転送する信号中継システムにおいて、
前記信号リンク収容プロセッサそれぞれは、
前記受信信号に含まれる着アドレスおよび信号リンク選択信号を入力キーとして、出側信号リンク収容プロセッサを検索・予測するための第１テーブルと、
初期状態時においてデータベースから取得したグローバル翻訳結果を前記着アドレスをキーとして登録しておき、定常状態では、前記着アドレスによりグローバル翻訳結果を取得するための第２テーブルと、
前記翻訳結果から取り出した着ポイントコードおよび前記受信信号に含まれる信号リンク選択信号により出側信号リンク収容プロセッサを決定するための第３テーブルとを備え、
前記入側信号リンク収容プロセッサは、
初期状態時には、前記データベースにグローバル翻訳を要求して、取得した翻訳結果に基づき前記第３テーブルにより出側信号リンク収容プロセッサを決定し、前記翻訳結果および前記受信信号を該出側信号リンク収容プロセッサへ転送し、定常状態では、前記第１テーブルから出側信号リンク収容プロセッサを検索・予測して前記受信信号を転送し、
前記出側信号リンク収容プロセッサは、
初期状態には、前記入側信号リンク収容プロセッサから転送されてきた翻訳結果を前記第２テーブルに登録するとともに信号リンクへ前記受信信号を送出し、定常状態では、前記入側信号リンク収容プロセッサから転送されてきた前記受信信号に基づいて前記第２テーブルから翻訳結果を取得するとともに、該翻訳結果に基づき前記第３テーブルを使用して出側信号リンク収容プロセッサを取得し、該取得した出側信号リンク収容プロセッサ対応の信号リンクへ前記受信信号を送出することを特徴とする信号中継システム。
【請求項２】
前記出側信号リンク収容プロセッサにおいて取得した出側信号リンク収容プロセッサが、前記入側信号リンク収容プロセッサにおいて検索・予測したものと相違しているときは、取得した出側信号リンク収容プロセッサへ前記受信信号を再転送し、該再転送を受けた信号リンク収容プロセッサは、接続される信号リンクへ前記受信信号を送出することを特徴とする請求項１記載の信号中継システム。
【請求項３】
グローバルタイトル翻訳要求を含む信号を受信した入側信号リンク収容プロセッサから、前記グローバル翻訳の結果がその特定に関与する出側信号リンク収容プロセッサへ前記前記信号を転送する信号中継方法において、前記信号リンク収容プロセッサそれぞれに、前記受信信号に含まれる着アドレスおよび信号リンク選択信号を入力キーとして、出側信号リンク収容プロセッサを検索・予測するための第１テーブルと、初期状態時においてデータベースから取得したグローバル翻訳結果を前記着アドレスをキーとして登録しておき、定常状態では前記着アドレスによりグローバル翻訳結果を取得するための第２テーブルと、前記翻訳結果から取り出した着ポイントコードおよび前記受信信号に含まれる信号リンク選択信号により出側信号リンク収容プロセッサを決定するための第３テーブルとを備える手順と、前記入側信号リンク収容プロセッサは、初期状態時には、前記データベースにグローバル翻訳を要求する手順と、取得した翻訳結果に基づき前記第３テーブルにより出側信号リンク収容プロセッサを決定する手順と、前記翻訳結果および受信信号を出側信号リンク収容プロセッサへ転送する手順とを有し、また、定常状態では、前記第１テーブルから出側信号リンク収容プロセッサを検索・予測して前記受信信号を転送する手順を有し、前記出側信号リンク収容プロセッサは、初期状態には、前記入側信号リンク収容プロセッサから転送されてきた翻訳結果を前記第２テーブルに登録する手順と、信号リンクへ前記受信信号を送出する手順とを有し、また、定常状態では、前記入側信号リンク収容プロセッサから転送されてきた前記受信信号に基づいて前記第２テーブルから翻訳結果を取得する手順と、該翻訳結果に基づき前記第３テーブルを使用して出側信号リンク収容プロセッサを取得する手順と、該取得した出側信号リンク収容プロセッサ対応の信号リンクへ前記受信信号を送出する手順とを有することを特徴とする信号中継方法。
【請求項４】
前記出側信号リンク収容プロセッサにおいて取得した出側信号リンク収容プロセッサが、前記入側信号リンク収容プロセッサにおいて検索・予測したものと相違しているときは、取得した出側信号リンク収容プロセッサへ前記受信信号を再転送する手順と、該再転送を受けた信号リンク収容プロセッサは、接続される信号リンクへ前記受信信号を送出する手順とを有することを特徴とする請求項３記載の信号中継方法。
【請求項５】
グローバルタイトル翻訳要求を含む信号を受信した入側信号リンク収容プロセッサから、前記グローバル翻訳の結果がその特定に関与する出側信号リンク収容プロセッサへ前記受信信号を転送する信号中継方法であって、前記信号リンク収容プロセッサそれぞれは、前記受信信号に含まれる着アドレスおよび信号リンク選択信号を入力キーとして、出側信号リンク収容プロセッサを検索・予測するための第１テーブルと、初期状態時においてデータベースから取得したグローバル翻訳結果を前記着アドレスをキーとして登録しておき、定常状態では前記着アドレスによりグローバル翻訳結果を取得するための第２テーブルと、前記翻訳結果から取り出した着ポイントコードおよび前記受信信号に含まれる信号リンク選択信号により出側信号リンク収容プロセッサを決定するための第３テーブルとを備えており、前記入側信号リンク収容プロセッサは、初期状態時には、前記データベースにグローバル翻訳を要求する手順と、取得した翻訳結果に基づき前記第３テーブルにより出側信号リンク収容プロセッサを決定する手順と、前記翻訳結果および前記受信信号を出側信号リンク収容プロセッサへ転送する手順とを有し、また、定常状態では、前記第１テーブルから出側信号リンク収容プロセッサを検索・予測して前記受信信号を転送する手順を有し、前記出側信号リンク収容プロセッサは、初期状態には、前記入側信号リンク収容プロセッサから転送されてきた翻訳結果を前記第２テーブルに登録する手順と、信号リンクへ前記受信信号を送出する手順とを有し、また、定常状態では、前記入側信号リンク収容プロセッサから転送されてきた前記受信信号に基づいて前記第２テーブルから翻訳結果を取得する手順と、該翻訳結果に基づき出側信号リンク収容プロセッサを取得する手順と、前記受信信号を信号リンクへ送出する手順とを有することを特徴とする信号中継方法をコンピュータに実行させるためのプログラムを記憶したコンピュータ読み込み可能な記録媒体。
【発明の詳細な説明】
【０００１】
【発明の属する技術分野】
本発明は、マルチプロセッサ構成の交換システムにおける、グローバルタイトル翻訳（以下、「ＧＴ翻訳」と記す）を伴なった信号中継に関する。
【０００２】
【従来の技術】
従来のマルチプロセッサ構成の交換システムで実現される信号中継局（Ｓｉｇｎａｌｌｉｎｇ  Ｔｒａｎｓｆｅｒ  Ｐｏｉｎｔ：ＳＴＰ）において、共通線信号リンクを収容する信号リンク収容プロセッサ（Ｃｏｍｍｏｎ  ｃｈａｎｎｅｌＳｉｇｎａｌｌｉｎｇ  Ｐｒｏｃｅｓｓｏｒ：ＣＳＰ）のそれぞれは、柔軟な信号中継局構成を実現する目的から、特定ルートの信号リンクとの関係について特別な条件を持たされることはない。
【０００３】
したがって、ＧＴ翻訳を要求する信号を受信する信号リンク収容プロセッサ（ＣＳＰ）を特定できないため、信号中継局を構成するすべての信号リンク収容プロセッサ（ＣＳＰ）は、その局で必要とされるすべてのＧＴ翻訳データのレプリカ（ｒｅｐｌｉｃａ）をメモリ上に収容するようにしている。
【０００４】
このような構成を有する従来の信号中継システムは次のように動作する。すなわち、信号リンク収容プロセッサ（ＣＳＰ）が受信した信号は、信号転送部（Ｍｅｓｓａｇｅ  Ｔｒａｎｓｆｅｒ  Ｐａｒｔ：ＭＴＰ）が解析し、ＧＴ翻訳を要求する信号であれば、信号転送部（ＭＴＰ）の上位プロトコルである信号接続制御部（Ｓｉｇｎａｌｌｉｎｇ  Ｃｏｎｎｅｃｔｉｏｎ  Ｃｏｎｔｒｏｌｌ  Ｐａｒｔ：ＳＣＣＰ）にＧＴ翻訳を要求する。
【０００５】
ＧＴ翻訳データは、上述のように、全信号リンク収容プロセッサ（ＣＳＰ）に格納されているため、信号接続制御部（ＳＣＣＰ）は、当該プロセッサ内でＧＴ翻訳結果を出力し、信号転送部（ＭＴＰ）に応答する。信号転送部（ＭＴＰ）は、信号接続制御部（ＳＣＣＰ）から受けたＧＴ翻訳結果から、信号の中継先（着信局ポイントコード）を特定し、信号のルーティングを行い、中継先へのルートに出ている信号リンクを決定し、その信号リンクを収容する信号リンク収容プロセッサに信号（ＣＳＰ）に受信信号をシステム内転送する。
【０００６】
【発明が解決しようとする課題】
しかしながら、上述した従来のＧＴ翻訳機能を有する信号中継システムの第１の問題点は、信号リンク収容プロセッサ（以下、「ＣＳＰ」と記す）による処理の再開時間が長くなるということである。その理由は、全てのＣＳＰに全ＧＴ翻訳データを収容するため、ＧＴ翻訳データは再開時にデータベースからロードされるからである。
【０００７】
また、第２の問題点は、全てのＣＳＰに全ＧＴ翻訳データを収容するため、メモリ不足の原因になるということである。
【０００８】
本発明の目的は、各ＣＳＰに収容するＧＴ翻訳データ量を削減し、ＣＳＰの処理の再開時間の短縮を可能にする信号中継システムおよび信号中継方法を提供することにある。
【０００９】
本発明の他の目的は、各ＣＳＰに収容するＧＴ翻訳データ量を削減し、ＣＳＰのメモリ不足解消を可能にする信号中継システムおよび信号中継方法を提供することにある。
【００１０】
【課題を解決するための手段】
本発明の信号中継システムは、グローバルタイトル翻訳要求を含む信号を受信した入側信号リンク収容プロセッサから、前記グローバル翻訳の結果がその特定に関与する出側信号リンク収容プロセッサへ前記受信信号を転送する信号中継システムにおいて、前記信号リンク収容プロセッサそれぞれは、前記受信信号に含まれる着アドレスおよび信号リンク選択信号を入力キーとして、出側信号リンク収容プロセッサを検索・予測するための第１テーブルと、初期状態時においてデータベースから取得したグローバル翻訳結果を前記着アドレスをキーとして登録しておき、定常状態では、前記着アドレスによりグローバル翻訳結果を取得するための第２テーブルと、前記翻訳結果から取り出した着ポイントコードおよび前記受信信号に含まれる信号リンク選択信号により出側信号リンク収容プロセッサを決定するための第３テーブルとを備え、前記入側信号リンク収容プロセッサは、初期状態時には、前記データベースにグローバル翻訳を要求して、取得した翻訳結果に基づき前記第３テーブルにより出側信号リンク収容プロセッサを決定し、前記翻訳結果および前記受信信号を該出側信号リンク収容プロセッサへ転送し、定常状態では、前記第１テーブルから出側信号リンク収容プロセッサを検索・予測して前記受信信号を転送し、前記出側信号リンク収容プロセッサは、初期状態には、前記入側信号リンク収容プロセッサから転送されてきた翻訳結果を前記第２テーブルに登録するとともに信号リンクへ前記受信信号を送出し、定常状態では、前記入側信号リンク収容プロセッサから転送されてきた前記受信信号に基づいて前記第２テーブルから翻訳結果を取得するとともに、該翻訳結果に基づき前記第３テーブルを使用して出側信号リンク収容プロセッサを取得し、該取得した出側信号リンク収容プロセッサ対応の信号リンクへ前記受信信号を送出することを特徴とする。
【００１３】
本発明の信号中継方法は、グローバルタイトル翻訳要求を含む信号を受信した入側信号リンク収容プロセッサから、前記グローバル翻訳の結果がその特定に関与する出側信号リンク収容プロセッサへ前記前記信号を転送する信号中継方法において、前記信号リンク収容プロセッサそれぞれに、前記受信信号に含まれる着アドレスおよび信号リンク選択信号を入力キーとして、出側信号リンク収容プロセッサを検索・予測するための第１テーブルと、初期状態時においてデータベースから取得したグローバル翻訳結果を前記着アドレスをキーとして登録しておき、定常状態では前記着アドレスによりグローバル翻訳結果を取得するための第２テーブルと、前記翻訳結果から取り出した着ポイントコードおよび前記受信信号に含まれる信号リンク選択信号により出側信号リンク収容プロセッサを決定するための第３テーブルとを備える手順と、前記入側信号リンク収容プロセッサは、初期状態時には、前記データベースにグローバル翻訳を要求する手順と、取得した翻訳結果に基づき前記第３テーブルにより出側信号リンク収容プロセッサを決定する手順と、前記翻訳結果および受信信号を出側信号リンク収容プロセッサへ転送する手順とを有し、また、定常状態では、前記第１テーブルから出側信号リンク収容プロセッサを検索・予測して前記受信信号を転送する手順を有し、前記出側信号リンク収容プロセッサは、初期状態には、前記入側信号リンク収容プロセッサから転送されてきた翻訳結果を前記第２テーブルに登録する手順と、信号リンクへ前記受信信号を送出する手順とを有し、また、定常状態では、前記入側信号リンク収容プロセッサから転送されてきた前記受信信号に基づいて前記第２テーブルから翻訳結果を取得する手順と、該翻訳結果に基づき前記第３テーブルを使用して出側信号リンク収容プロセッサを取得する手順と、該取得した出側信号リンク収容プロセッサ対応の信号リンクへ前記受信信号を送出する手順とを有することを特徴とする。
【００１４】
本発明では、信号接続制御部（以下、「ＳＣＣＰ」と記す）によるＧＴ翻訳と信号転送部（以下、「ＭＴＰ」と記す）による信号ルーティングは、従来、信号を信号リンクから受信するＣＳＰ（以下、「入側ＣＳＰ」と記す）で行われていたため、全ての翻訳結果も入側ＣＳＰに配備しなければならなかったのに対し、ＧＴ翻訳とＭＴＰルーティングを信号中継先ルートへのＣＳＰ（以下「出側ＣＳＰ」と記す）で行うことによって、ＧＴ翻訳の入力キーである受信信号の信号接続制御部アドレス情報と信号リンク選択信号（Ｓｉｇｎａｌｌｉｎｇ  ＬｉｎｋＳｅｌｅｃｔｉｏｎ：ＳＬＳ）から予測される出側ＣＳＰにのみグローバルタイトル翻訳データを配備することとしたため、ＣＳＰの再開時間短縮とメモり使用量の削減を実現する。
【００１５】
【発明の実施の形態】
次に、本発明の実施の形態について図面を参照して詳細に説明する。
【００１６】
図１は、ＧＴ翻訳機能を有する一般的な信号中継システムの構成を示すとともに、本発明の信号中継システムの初期状態における信号中継の経路を矢印で表示している。本信号中継システムでは、３つのＣＳＰ１，ＣＳＰ２およびＣＳＰ３と、データベースプロセッサ４とがプロセッサ間通信装置（ＨＵＢ）５に接続されている。
【００１７】
ＣＳＰ１は、信号を送受信するための信号リンク＃１と信号リンク＃２を収容し、ＣＳＰ２は、信号を送受信するための信号リンク＃３と信号リンク＃４を収容し、ＣＳＰ３は、信号を送受信するための信号リンク＃５と信号リンク＃６を収容している。また、これらの各ＣＳＰ１，ＣＳＰ２およびＣＳＰ３は、前述のＭＴＰおよびＳＣＣＰ（ともに図示しない）を含んでいる。デーベースプロセッサ４は、各ＣＳＰ１，ＣＳＰ２およびＣＳＰ３が使用するＧＴ翻訳データを予め格納しているデータベースを有する。
【００１８】
図５は、入側ＣＳＰが受信する受信信号のフォーマットの概要を示している。ＧＴ翻訳の入力キーとなるのがＳＣＣＰ着アドレス情報（以下「着アドレス」と記す。）であり、後述するＭＴＰルーティングの入力キーとなるのが着ポイントコード（Ｄｅｓｔｉｎａｔｉｏｎ  Ｐｏｉｎｔ  Ｃｏｄｅ：ＤＰＣ）と信号リンク選択信号（ＳＬＳ）である。
【００１９】
図１において、初期状態で、入側ＣＳＰ（ＣＳＰ１とする。）がＧＴ翻訳を要求する信号を受信した場合、この状態下では出側ＣＳＰ（ＣＳＰ２とする。）を予測できないため、ＣＳＰ１はデータベースプロセッサ４にＧＴ翻訳を要求し、ＧＴ翻訳結果を取得する。ＣＳＰ１は、ＧＴ翻訳結果を基に後に詳述する第３テーブルを使用したＭＴＰルーティングを行い出側ＣＳＰを決定し、内蔵する第１テーブルに、受信信号に含まれている着アドレスおよび信号リンク選択信号（ＳＬＳ）と出側ＣＳＰとの関係を書き込んだ後、ＧＴ翻訳結果と受信信号を出側ＣＳＰ２へシステム内転送する。ＣＳＰ２は受信したＧＴ翻訳データと着アドレスの関係を内蔵する第２テーブルに書き込み、受信信号は信号リンク＃４へ送出する。
【００２０】
このような処理を繰り返していくことによって、入側ＣＳＰが内蔵する上述の第１テーブルが充実してくるので、入側ＣＳＰはこの第１テーブルを検索することによって出側ＣＳＰを予測できる状態となる。このような定常状態では、入側ＣＳＰは、着アドレスおよび信号リンク選択信号（ＳＬＳ）を含む受信信号を受信すると、受信信号をすぐに出側ＣＳＰへ転送し、出側ＣＳＰでＧＴ翻訳と第３テーブルを使用したＭＴＰルーティングを行えるようになる。ＭＴＰルーティングの結果が同一のＣＳＰとなる確率は１００％ではないが、データベースのＧＴ翻訳データは、信号中継を繰り替えしながら、システムの各ＣＳＰへ分散収容されていくことになるのである。この状態下での信号中継イメージを図２に示す。図２では、ＣＳＰ１からデータベースプロセッサ４に向かう矢印は示されておらずＧＴ翻訳を要求することはない。
【００２１】
フローチャートを使用した詳細な動作説明の前に、ＣＳＰが内蔵する第１テーブル（図６），第２テーブル（図７）および第３テーブル（図８〜図１０）について言及しておく。
【００２２】
図６は、初期状態でデータベースプロセッサ４から得た翻訳結果を基に決定した出側ＣＳＰを着アドレスと信号リンク選択番号（ＳＬＳ）をキーに、書き込んでおき、定常状態では予測出側ＣＳＰ番号を取得するための第１テーブルを示す。この第１テーブルは入側ＣＳＰで使用される。図７は、初期状態で入側ＣＳＰから転送されてきたＧＴ翻訳結果を着アドレスをキーとして登録しておき、定常状態では着アドレスからＧＴ翻訳結果を取得するための第２テーブルを示す。このテーブルは出側ＣＳＰで使用される。
【００２３】
また、図８，図９および図１０は、着ポイントコード（ＤＰＣ）を入力キーとするＭＴＰルーティングで使用される３つのテーブルから成る第３テーブルを示す。このテーブルは入側ＣＳＰおよび出側ＣＳＰで使用される。すなわち、図８は着ポイントコード（ＤＰＣ）から信号ルートグループ（ｌｇｎ）を取得するためのテーブル、図９は信号ルートグループ（ｌｇｎ）から信号リンク（ｓｌｋ）を取得するためのテーブル、図１０は信号リンク（ｓｌｋ）から出側ＣＳＰを取得するためのテーブルである。ＭＴＰルーティングでは、着ポイントコード（以下、「ＤＰＣ」と記す。）を入力キーとして、これら３つのテーブルを順次に辿るこ（Ｓｉｇｎａｌｌｉｎｇ  Ｌｉｎｋ  Ｓｅｌｅｃｔｉｏｎ：ＳＬＳ）である。とによって最終的には出側ＣＳＰ番号を得る。
【００２４】
図８，図９および図１０の各テーブルは、ＣＳＰの再開直後からデータがすべて実装される。これに対して、図６および図７のテーブルは、再開後、信号中継処理を繰り返しながら、徐々にデータが追加されるのである。
【００２５】
図３は入側ＣＳＰの動作を示すフローチャート、図４は出側ＣＳＰの動作を示すフローチャートである。以下、ＣＳＰ１を入側ＣＳＰ、ＣＳＰ２を出側ＣＳＰとして説明する。
【００２６】
先ず、初期状態において、ＣＳＰ１で信号を受信すると（図３のステップＳ１）、ＣＳＰ１のＭＴＰは、受信信号内のＤＰＣが自局であり、かつ、ＧＴ翻訳ありの情報から、受信信号内の着アドレスとＳＬＳとをキーに図６の第１テーブルにより出側ＣＳＰの予測を試みるが（ステップＳ２）、このとき第１テーブルにはデータが未実装であるため、出側ＣＳＰを検索できないので（ステップＳ３）、ＣＳＰ１のＳＣＣＰを介してＧＴ翻訳のためにデータベースプロセッサ５へＧＴ翻訳を要求し、翻訳結果を取得する（ステップＳ４）。
【００２７】
ＣＳＰ１のＭＴＰは、この翻訳結果に含まれるＤＰＣと受信信号内のＳＬＳにより、図８，図９および図１０の第３テーブルを使用してＭＴＰルーティングを行って、出側ＣＳＰ２を決定し（ステップＳ５）、プロセッサ間通信装置５を経由して出側ＣＳＰ２へ、ＧＴ翻訳結果と受信信号を転送する（ステップＳ６）。
【００２８】
出側ＣＳＰ２は、入側ＣＳＰ１から転送されてきた信号は翻訳結果を含んでおり、受信信号のみではないため（図４のステップＳ１１）、図７に示した第２テーブル（ＧＴ翻訳テーブル）にデータを設定し、受信信号を信号リンク＃４へ転送する（ステップＳ１２）。
【００２９】
以上のような信号転送を繰り返した後には、データベースプロセッサ４内のＧＴ翻訳データはＣＳＰ１，２および３に分散収容される。
【００３０】
このような定常状態下において、ＣＳＰ１が信号リンク＃２から受信信号を受信すると（図３のステップＳ１）、受信信号内の着アドレスとＳＬＳから出側ＣＳＰ２を検索する。この場合は、検索できるので（ステップＳ３）、その検索から、出側ＣＳＰを予測して受信信号をシステム内転送する（ステップＳ７）。
【００３１】
ＣＳＰ２では、ＣＳＰ１から転送されてきた信号は受信信号のみであり（図４のステップＳ１１）、かつ、ＤＰＣは自局であるから（ステップＳ１３）、上述のようにして、蓄積してきたデータに基づいてＧＴ翻訳を行いＤＰＣを取り出して、ＭＴＰルーティングを行い、出側ＣＳＰを確定する（ステップＳ１４）。
【００３２】
しかし、図３のステップＳ２で予測した出側ＣＰＳ２と図４のステップＳ１４のＭＴＰルーティングで確定したＣＳＰ（ＣＳＰ３とする。）が異なっているときは、更に、ＣＳＰ３に受信信号をシステム内転送する（ステップＳ１５）。
【００３３】
ＣＳＰ３では、ＣＳＰ２から転送されてきた信号は受信信号のみであり（ステップＳ１１）、かつ、ＤＰＣは自局ではないため（ステップＳ１３）、そしてＧＴ翻訳およびＭＴＰルーティングは既に済んでいるため（ＣＳＰ２におけるステップＳ１４）、信号リンク＃６に受信信号を送出して処理を終える（ステップＳ１７）。
【００３４】
このように、予測したＣＳＰとＭＴＰルーティングで決定されるＣＳＰが異なる場合には、多少の信号遅延が発生するが、各ＣＳＰの処理能力への影響は、ほとんどなく、また、出側ＣＳＰの予測がはずれる確率は定常状態では、かなり低くなることを考えるとデータ分散による、メモリ削減と再開時間短縮の効果は大きい。なお、ステップＳ１５において、ＣＳＰの予測が的中した場合は信号リンク＃４に信号送出して処理を終える（ステップＳ１６）。
【００３５】
なお、以上に説明した信号中継方法をコンピュータに実行させるためのプログラムを半導体メモリ，磁気ディスク等コンピュータ読み込み可能な記録媒体に記録し、コンピュータに読み込ませて実行するようにしてもよい。そのようなプログラムは、コンピュータを制御し、図３および図４に示したフローチャートと同様な機能を発揮させる。
【００３６】
【発明の効果】
本発明の第１の効果は、ＧＴ翻訳データをＣＳＰに分散収容するため、定常状態ではＧＴ翻訳データをデータベースプロセッサから取得してくる必要がなくなるので、ＣＳＰの再開時間を短縮ができるということである。
【００３７】
また、第２の効果は、翻訳データをＣＳＰに分散収容するため、全てのＣＳＰが全てのＧＴ翻訳データを収容する必要がなくなるので、メモリ削減できるということである。
【図面の簡単な説明】
【図１】本発明の信号中継システムの初期状態における信号中継イメージを示す図。
【図２】本発明の信号中継システムの定常状態における信号中継イメージを示す図。
【図３】本発明における入側信号リンク収容プロセッサ（入側ＣＳＰ）の処理フローチャート。
【図４】本発明における出側信号リンク収容プロセッサ（出側ＣＳＰ）の処理フローチャート。
【図５】ＧＴ翻訳対象となる共通線信号のフォーマットを示す図。
【図６】着アト゛レスと信号リンク選択信号（ＳＬＳ）をキーに出側信号リンク収容プロセッサ（出側ＣＳＰ）を取得するための第１テーブルを示す図。
【図７】着アドレスからＧＴ翻訳結果を取り出すための第２テーブルを示す図。
【図８】着ポイントコード（ＤＰＣ）から信号リンクグループを取り出すための第３テーブルを構成するテーブルを示す図。
【図９】信号リンクグループと信号リンク選択番号（ＳＬＳ）から信号リンクを取り出すための第３テーブルを構成するテーブルを示す図。
【図１０】信号リンクから出側信号リンク収容プロセッサ（ＣＳＰ）を取り出すための第３テーブルを構成するテーブル示す図。
【符号の説明】
１      信号リンク収容プロセッサ（ＣＳＰ）
２      信号リンク収容プロセッサ（ＣＳＰ）
３      信号リンク収容プロセッサ（ＣＳＰ）
４      データベースプロセッサ
５      プロセッサ間通信装置（ＨＵＢ）
【図１】
0003610843.tif 000002
【図２】
0003610843.tif 000003
【図３】
0003610843.tif 000004
【図４】
0003610843.tif 000005
【図５】
0003610843.tif 000006
【図６】
0003610843.tif 000007
【図７】
0003610843.tif 000008
【図８】
0003610843.tif 000009
【図９】
0003610843.tif 000010
【図１０】
0003610843.tif 000011